(57)【要約】【課題】床下や浴槽等の配管が水平方向に配管される排水管の接続について、施工・配管の際の位置ズレを解決することを課題とする。【解決手段】排水機器と、排水機器からの排水を排出する、水平方向に配管される排水管（Ｓ）の接続に用いられる排水接続管であって、少なくともその両端が、平行且つ任意の幅に偏芯した第一管体（１）と、少なくともその両端が、平行且つ任意の幅に偏芯し、一方の端が該第一管体（１）に、管体の軸方向から見て、角度を自在に調節した状態で接続される第二管体（２）と、から構成とする。【選択図】図１
2005248588.tif 000002
【特許請求の範囲】
【請求項１】
排水機器と、排水機器からの排水を排出する、略水平方向に配管される排水管（Ｓ）の接続に用いられる排水接続管であって、
少なくともその両端が、平行且つ任意の幅に偏芯した第一管体（１）と、
少なくともその両端が、平行且つ任意の幅に偏芯し、一方の端が該第一管体（１）に、管体の軸方向から見て、角度を自在に調節した状態で接続される第二管体（２）と、
から構成したことを特徴とする排水接続管。
【請求項２】
上記請求項１に記載の排水接続管であって、
第一管体（１）の両端の偏芯幅と、第二管体（２）の両端の偏芯幅とが等しいことを特徴とする排水接続管。
【請求項３】
排水機器と、排水機器からの排水を排出する、略水平方向に配管される排水管（Ｓ）の接続に用いられる排水接続管であって、
少なくともその両端が、一定の角度を有して形成された第一管体（１）と、
少なくともその両端が、第一管体（１）の両端が有した角度と等しい角度を有し、さらに一方の端が第一管体（１）に長さ調節自在に接続される第二管体（２）と、
から構成したことを特徴とする排水接続管。
【請求項４】
排水機器と、排水機器からの排水を排出する、略水平方向に配管される排水管（Ｓ）の接続に用いられる排水接続管であって、
少なくともその両端が、平行且つ任意の幅に偏芯した第一管体（１）と、
一方に開口部（６）を設け、他方に開口を閉じる壁部（７）を設けた筒体であって、さらに筒体の軸に対して偏芯した位置に接続筒（８）を設けた第一筒体（５）から成り、
第一管体（１）の一端と第一筒体（５）の接続筒（８）を回動自在に接続していることを特徴とする排水接続管。
【請求項５】
排水機器と、排水機器からの排水を排出する、略水平方向に配管される排水管（Ｓ）の接続に用いられる排水接続管であって、
一方に開口部（６）を設け、他方に開口を閉じる壁部（７）を設けた筒体であって、さらに筒体の軸に対して偏芯した位置に接続筒（８）を設けた第一筒体（５）と、
第一筒体（５）と同様に構成した第二筒体（９）とから成り、
第一筒体（５）の開口部（６）と第二筒体（９）の開口部（６）とを回動自在に接続したことを特徴とする排水接続管。
【請求項６】
排水機器と、排水機器からの排水を排出する、略水平方向に配管される排水管（Ｓ）の接続に用いられる排水接続管であって、
一方に開口部（６）を設け、他方に開口を閉じる壁部（７）を設けた筒体であって、さらに筒体の軸に対して偏芯した位置に接続筒（８）を設けた第一筒体（５）と、
第一筒体（５）と同様に構成した第二筒体（９）とから成り、
第一筒体（５）の接続筒（８）と第二筒体（９）の接続筒（８）とを回動自在に接続したことを特徴とする排水接続管。
【請求項７】
上記請求項１乃至請求項６のいずれか一つに記載の排水接続管において、
排水接続管に用いる各部材を硬質材から構成すると共に、
排水機器及び排水管（Ｓ）を含む各部材の接続箇所のうち、少なくとも１カ所を筒体同士の差込式とし、
さらに排水接続管の全長が、排水機器の接続部の一端から排水管（Ｓ）の排水接続管との接続部の一端までの幅よりも長く、
且つ排水機器の接続部の一端から排水管（Ｓ）の排水接続管との接続部の一端までの幅に、差込式とした接続箇所の差込しろの長さを合したものよりも短く成るように構成した特徴とする排水接続管。
【請求項８】
上記請求項１乃至請求項６のいずれか一つに記載の排水接続管において、
排水接続管に用いる各部材を硬質材から構成すると共に、
管体の軸方向から見て、配管を行うのに必要な幅だけ長さ調節を行うことができる長さ調節部（４）を備えたことを特徴とする排水接続管。
【請求項９】
排水機器と、排水機器からの排水を排出する、略水平方向に配管される排水管（Ｓ）の接続に用いられる排水接続管であって、
直線状の第一管体（１）と、
該第一管体（１）の両端に取り付けられる、内部に通水路（１３）を備えた球形状の継手体（１１）と、
該継手体（１１）を受ける継手受け体（１２）と、
から構成したことを特徴とする排水接続管。
【請求項１０】
排水機器と、排水機器からの排水を排出する、略水平方向に配管される排水管（Ｓ）の接続に用いられる排水接続管であって、
直線状の第一管体（１）と、
該第一管体（１）と排水機器及び排水管（Ｓ）との接続部に用いられる、略円筒状にして内面を平滑とした軟質材から成る継手管（１４）と、
から構成したことを特徴とする排水接続管。
【請求項１１】
上記請求項１乃至請求項１０のいずれか一つに記載の排水接続管において、
第一管体（１）、若しくは第一筒体（５）の少なくともいずれか一つに、
配管を行うのに必要な幅だけ長さ調節を行うことができる長さ調節部（４）を設けたことを特徴とする排水接続管。
【請求項１２】
上記請求項１乃至請求項１１のいずれか一つに記載の排水接続管において、
排水接続管の一方の端を排水機器の接続部に接続し、他方を排水管（Ｓ）に接続したことを特徴とする排水接続管。
【発明の詳細な説明】
【技術分野】
【０００１】
本発明は、浴槽等の排水機器と、排水機器からの排水を排出する、略水平方向に配管される排水管の接続に用いられる排水接続管に関するものである。
【背景技術】
【０００２】
従来より、洗面台、流し台等の排水機器と、床下の配管から立ち上がってきた立ち上がり管とを、硬質塩ビ管等の硬質管を排水接続管として用いて接続する方法が知られている。以下に、従来用いられてきた、排水接続管の使用例を、図面を参照しつつ説明する。
【０００３】
図１７に示した、排水機器と立ち上がり管とを直線状の排水接続管を用いて接続した屋内配管は、排水機器としての流し台、排水接続管として硬質塩ビ材から成る直管パイプ、下水側に接続されている立ち上がり管、立ち上がり管に備えられる継手部材その他の部材より構成されて成る。このように構成された配管部材にて配管施工を行う場合、床下からの立ち上がり管の位置と、流し台の排水接続管が取り付けらる排水機器の位置は、図面段階では位置が一致するようになされているが、実際には排水管の各部材の長さや位置に誤差が有ったり、或いは流し台や洗面等の排水機器の施工位置に僅かなずれが生じたりして、実際には排水管と排水機器の位置には平面視で数ミリから数十ミリ程度の位置ズレが生じる場合がほとんどである。このため、上記した実施例に有るように硬質材の直管パイプを用いた場合、このような位置ズレに対応しきれず配管ができなくなったり、又は無理矢理力ずくで配管を曲げて施工するために、部材の破損や、水密性が保てずに漏水を生じる場合があった。また、上記のような方法では、排水トラップは、施工現場で配管施工時に浴槽に取り付けなければならないが、施工現場で取り付けを行う場合、工場などと比較して、あまり大がかりな機材を用いることができないので、施工の際の手間や仕上がりの品質、水密性の確保などが困難であった。
【０００４】
上記問題点に対し、特開２００２−１３８５４５は、様々な配管部材、例えば硬質な素材から成り、内面が平滑な部材を用いつつ、施工・配管の際の位置ズレを吸収することができる排水接続管を提供するものであった。
【特許文献１】特開２００３−１３８４５号
【発明の開示】
【発明が解決しようとする課題】
【０００５】
しかしながら、前記した従来の排水配管は垂直方向に行われる排水管の接続に用いられる排水接続管に関するものであった。床下や浴槽等の略水平方向に配管される排水管の接続についても、様々な排水機器の接続において同様の問題が発生しており、その問題を解決できる発明が強く望まれていた。
本発明は上記問題点に鑑み発明されたもので、浴槽や床下等の排水機器と、排水機器からの排水を排出する、略水平方向に配管される排水管の接続に用いられる排水接続管に関して、様々な配管部材、特に硬質な素材から成り、内面が平滑な部材を用いつつ、施工・配管の際の位置ズレを吸収することができる排水接続管を提供するものである。
【課題を解決するための手段】
【０００６】
排水機器と、排水機器からの排水を排出する、略水平方向に配管される排水管（Ｓ）の接続に用いられる排水接続管であって、少なくともその両端が、平行且つ任意の幅に偏芯した第一管体（１）と、少なくともその両端が、平行且つ任意の幅に偏芯し、一方の端が該第一管体（１）に、管体の軸方向から見て、角度を自在に調節した状態で接続される第二管体（２）と、から構成したことを特徴とする排水接続管。
【０００７】
上記請求項１に記載の排水接続管であって、第一管体（１）の両端の偏芯幅と、第二管体（２）の両端の偏芯幅とが等しいことを特徴とする排水接続管。
【０００８】
排水機器と、排水機器からの排水を排出する、略水平方向に配管される排水管（Ｓ）の接続に用いられる排水接続管であって、少なくともその両端が、一定の角度を有して形成された第一管体（１）と、少なくともその両端が、第一管体（１）の両端が有した角度と等しい角度を有し、さらに一方の端が第一管体（１）に長さ調節自在に接続される第二管体（２）と、から構成したことを特徴とする排水接続管。
【０００９】
排水機器と、排水機器からの排水を排出する、略水平方向に配管される排水管（Ｓ）の接続に用いられる排水接続管であって、少なくともその両端が、平行且つ任意の幅に偏芯した第一管体（１）と、一方に開口部（６）を設け、他方に開口を閉じる壁部（７）を設けた筒体であって、さらに筒体の軸に対して偏芯した位置に接続筒（８）を設けた第一筒体（５）から成り、第一管体（１）の一端と第一筒体（５）の接続筒（８）を回動自在に接続していることを特徴とする排水接続管。
【００１０】
排水機器と、排水機器からの排水を排出する、略水平方向に配管される排水管（Ｓ）の接続に用いられる排水接続管であって、一方に開口部（６）を設け、他方に開口を閉じる壁部（７）を設けた筒体であって、さらに筒体の軸に対して偏芯した位置に接続筒（８）を設けた第一筒体（５）と、第一筒体（５）と同様に構成した第二筒体（９）とから成り、第一筒体（５）の開口部（６）と第二筒体（９）の開口部（６）とを回動自在に接続したことを特徴とする排水接続管。
【００１１】
排水機器と、排水機器からの排水を排出する、略水平方向に配管される排水管（Ｓ）の接続に用いられる排水接続管であって、一方に開口部（６）を設け、他方に開口を閉じる壁部（７）を設けた筒体であって、さらに筒体の軸に対して偏芯した位置に接続筒（８）を設けた第一筒体（５）と、第一筒体（５）と同様に構成した第二筒体（９）とから成り、第一筒体（５）の接続筒（８）と第二筒体（９）の接続筒（８）とを回動自在に接続したことを特徴とする排水接続管。
【００１２】
上記請求項１乃至請求項６のいずれか一つに記載の排水接続管において、排水接続管に用いる各部材を硬質材から構成すると共に、排水機器及び排水管（Ｓ）を含む各部材の接続箇所のうち、少なくとも１カ所を筒体同士の差込式とし、さらに排水接続管の全長が、排水機器の接続部の一端から排水管（Ｓ）の排水接続管との接続部の一端までの幅よりも長く、且つ排水機器の接続部の一端から排水管（Ｓ）の排水接続管との接続部の一端までの幅に、差込式とした接続箇所の差込しろの長さを合したものよりも短く成るように構成した特徴とする排水接続管。
【００１３】
上記請求項１乃至請求項６のいずれか一つに記載の排水接続管において、排水接続管に用いる各部材を硬質材から構成すると共に、管体の軸方向から見て、配管を行うのに必要な幅だけ長さ調節を行うことができる長さ調節部（４）を備えたことを特徴とする排水接続管。
【００１４】
排水機器と、排水機器からの排水を排出する、略水平方向に配管される排水管（Ｓ）の接続に用いられる排水接続管であって、直線状の第一管体（１）と、該第一管体（１）の両端に取り付けられる、内部に通水路（１３）を備えた球形状の継手体（１１）と、該継手体（１１）を受ける継手受け体（１２）と、から構成したことを特徴とする排水接続管。
【００１５】
排水機器と、排水機器からの排水を排出する、略水平方向に配管される排水管（Ｓ）の接続に用いられる排水接続管であって、直線状の第一管体（１）と、該第一管体（１）と排水機器及び排水管（Ｓ）との接続部に用いられる、略円筒状にして内面を平滑とした軟質材から成る継手管（１４）と、から構成したことを特徴とする排水接続管。
【００１６】
上記請求項１乃至請求項１０のいずれか一つに記載の排水接続管において、第一管体（１）、若しくは第一筒体（５）の少なくともいずれか一つに、配管を行うのに必要な幅だけ長さ調節を行うことができる長さ調節部（４）を設けたことを特徴とする排水接続管。
【００１７】
上記請求項１乃至請求項１１のいずれか一つに記載の排水接続管において、排水接続管の一方の端を排水機器の接続部に接続し、他方を排水管（Ｓ）に接続したことを特徴とする排水接続管。
【発明の効果】
【００１８】
本発明の排水接続管は以下の効果を奏する。
１．請求項１に記載した本発明によれば、少なくともその両端が、平行且つ任意の幅に偏芯した第一管体と、第一管体と同様に構成した第二管体とを接続することで、排水機器の接続部の軸と排水管の軸との位置ズレに対応できるようにした。このため、施工において、配管時に無理な応力等を加えて、漏水や部材の破損を生じることなく、確実な施工を行うことができる。
２．請求項２に記載した本発明によれば、第一管体の両端の偏芯幅と、第二管体の両端の偏芯幅とを等しくすることで、排水機器の接続部の軸が、排水管の軸に対して位置ズレを生じていない場合であっても、位置合わせを行うことができる。
３．請求項３に記載した本発明によれば、第一管体と、第二管体とが長さ調節自在に構成されているため、排水機器の接続部の軸に対して、軸の位置があらかじめ多少幅を備えて配置されている排水管に対して容易に接続を行うことができ、さらに、長さ調節部を伸縮させ、排水機器と排水管の間に排水接続管を確実に配置することができる。
４．請求項４から６に記載した本発明によれば、排水接続管を、少なくともその両端が、平行且つ任意の幅に偏芯した第一管体と、一方に開口部を設け、他方に開口を閉じる壁部を設けた筒体であって、さらに筒体の軸に対して偏芯した位置に接続筒を設けた第一筒体との組み合わせ、若しくは第一筒体と、第一筒体と同様に構成した第二筒体との組み合わせから構成する。さらにそれぞれの組み合わせの部材を回動自在に接続しすることで、上記請求項１から３の排水接続管と同様に、排水機器の接続部の軸と排水管の軸との位置ズレに対応できるようになった。さらに、筒体は形状的な理由からインジェクション成形が可能となり、より安価で、精度の高い製品を作ることができる。
５．請求項７、また請求項８に記載した本発明によれば、排水機器と排水管との間の接続を行う排水接続管において、筒体同士の接続箇所に差し込みしろ、若しくは管体の軸に対して略水平方向に長さ調節を行う長さ調節部を設けた為、排水機器に接続部を備えた排水トラップなどを、工場等で取り付けた状態で出荷することができる。このため、工場内の大型機材を用いて接続状況を検査することができ、施工の際の水密性の確保などが確実になるなど、高品質な商品を提供することができる。
６．請求項９に記載した本発明によれば、継手体を球形状にすることで、上記請求項１から３の排水接続管と同様に、排水機器の接続部の軸と排水管の軸との位置ズレに対応できる。
７．請求項１０に記載した本発明によれば、排水機器と排水管との間の接続を行う排水接続管において、硬質な配管部材を用いつつ、部分的に、内面が滑らかな軟質材による継手管を用いて位置ズレに対応できるようにしたため、施工時において、配管に無理な応用力等を加えて、漏水や部材の破損を生じることなく、確実な施工を行うことができる。この際に、軟質の継手管は、その両端を排水接続管や排水機器、又は排水管等の硬質管に接続されているため、施工終了後にも、その円筒形状を維持することができる。また、ビニール管やジャバラ管と違い、排水接続管が変形したり、蛇腹の凹凸にゴミ等が引っかかったりしたりすることがなく、排水接続管に閉塞が生じない製品を提供できる。
８．請求項１１に記載した本発明によれば、排水機器と排水管との間の接続を行う排水接続管において、第一管体、若しくは第一筒体の少なくともいずれか一つに、配管を行うのに必要な幅だけ長さ調節を行うことができる長さ調節部を設けることで、排水機器の接続部の軸と排水管の軸との位置ズレに対応できるようにしたため、施工時において、配管に無理な応力等を加えて、漏水や部材の破損を生じることなく、確実な施工を行うことができる。
９．請求項１２に記載した本発明によれば、排水接続管の一方の端を排水機器の接続部に接続し、他方を排水管に接続することで、位置ズレの問題が特に深刻な場合にも対応できる。また、その組み合わせも自由に選択できる。
【発明を実施するための最良の形態】
【００１９】
排水機器と、排水機器からの排水を排出する、略水平方向に配管される排水管（Ｓ）の接続に用いられる排水接続管を、少なくともその両端が、平行且つ任意の幅に偏芯した第一管体（１）と、少なくともその両端が、平行且つ任意の幅に偏芯し、一方の端が該第一管体（１）に、管体の軸方向から見て、角度を自在に調節した状態で接続される第二管体（２）とから構成する。このように構成することで、排水機器の接続部の軸と排水管（Ｓ）の軸との位置ズレに対応できる。
特にこの場合には、第一管体（１）と第二管体（２）の両端の偏心幅を等しくすることで、様々な位置ズレに対応できるようになり、好適である。
また、他の形態として、排水機器と、排水機器からの排水を排出する、略水平方向に配管される排水管（Ｓ）の接続に用いられる排水接続管を、少なくともその両端が、一定の角度を有して形成された第一管体（１）と、少なくともその両端が、第一管体（１）の両端が有した角度と等しい角度を有し、さらに一方の端が第一管体（１）に長さ調節自在に接続される第二管体（２）と、から構成する。このように構成することで、排水機器の接続部の軸と排水管（Ｓ）の軸との位置ズレに対応できる。さらに、長さ調節部（４）を伸縮させ、排水機器と排水管（Ｓ）の間に排水接続管を確実に配置することができ、好適である。
また、他の形態として、排水接続管を、上記第一管体（１）と、一方に開口部（６）を設け、他方に開口を閉じる壁部（７）を設けた筒体であって、さらに筒体の軸に対して偏芯した位置に接続筒（８）を設けた第一筒体（５）との組み合わせ、若しくは、第一筒体（５）と、第一筒体（５）と同様に構成した第二筒体（９）との組み合わせから構成する。さらにそれぞれの組み合わせの部材を回動自在に接続する。このように構成することで、排水機器の接続部の軸が排水管（Ｓ）の軸に対して位置ズレに対応できる。また、筒体は形状的な理由からインジェクション成形が可能となり、より安価で、精度の高い製品を作ることができる。
また、他の形態として、上記排水接続管に用いる各部材を硬質材から構成する。排水機器及び排水管（Ｓ）を含む各部材の接続箇所のうち、少なくとも１カ所を筒体同士の差込式とし、さらに排水接続管の全長が、排水機器の接続部の一端から排水管（Ｓ）の排水接続管との接続部の一端までの幅よりも長く、且つ排水機器の接続部の一端から排水管（Ｓ）の排水接続管との接続部の一端までの幅に、差込式とした接続箇所の差込しろの長さを合したものよりも短く成るように構成する、若しくは第一管体（１）に設けた配管を行うのに必要な幅だけ長さ調節を行うことができる長さ調節部（４）を設ける。このように構成することで、施工時において、配管に無理な応力等を加えて、漏水や部材の破損を生じることなく、確実な施工を行うことができるとともに、排水機器に接続部を備えた排水トラップなどを、工場等で取り付けた状態で出荷することができる。このため、工場内の大型機材を用いて接続状況を検査することができ、施工の際の水密性の確保などが確実になるなど、高品質な商品を提供することができる。
また、他の形態として、排水機器と、排水機器からの排水を排出する、略水平方向に配管される排水管（Ｓ）の接続に用いられる排水接続管を、直線状の第一管体（１）と、該第一管体（１）の両端に取り付けられる、内部に通水路（１３）を備えた球形状の継手体（１１）と、内面に継手体（１１）の球形状と嵌合する形状であって、継手体（１１）の通水路（１３）と連通する円筒状の通水路を備えてなり、一方が排水管（Ｓ）に、他方が継手体（１１）に接続される継手受け体（１２）と、第一管体（１）に設けた配管を行うのに必要な幅だけ長さ調節を行うことができる長さ調節部（４）、から構成する。継手体（１１）が球形状であり、継手受け体（１２）によって方向が自由にできるため、接続の際に、排水機器の接続部の軸が、排水管（Ｓ）の軸に対して多少位置ズレがあり、継手部材等を介し第一管体が傾いた状態に接続されても、その形状や水密性に支障を来すことがなく、好適である。
また、他の形態として、排水機器と、排水機器からの排水を排出する、略水平方向に配管される排水管（Ｓ）の接続に用いられる排水接続管を、直線状の第一管体（１）と、該第一管体（１）と排水機器及び排水管（Ｓ）との接続部に用いられる、略円筒状にして内面を平滑とした軟質材から成る継手管（１４）と、から構成する。このように構成することで、硬質な配管部材を用いつつ、部分的に、内面が滑らかな軟質材による継手管（１４）を用いて位置ズレに対応できるようにしたため、施工時において配管に無理な応力等を加えて、漏水や部材の破損を生じることなく、確実な施工を行うことができる。この際に、軟質の継手管（１４）は、その両端を排水接続管や排水機器、又は排水管（Ｓ）等の硬質管に接続されているため、施工終了後にも、その円筒形状を維持することができ、好適である。
また、上記排水接続管において、第一管体（１）、若しくは第一筒体（５）の少なくともいずれか一つに、配管を行うのに必要な幅だけ長さ調節を行うことができる長さ調節部（４）を設けることで、排水機器の接続部の軸と排水管（Ｓ）の軸との位置ズレに対応できる。さらに、一方の端を排水機器の接続部に接続し、他方を排水管（Ｓ）に接続することで、位置ズレの問題が特に深刻な場合にも対応できるとともに、その組み合わせも自由に選択できる。
【実施例】
【００２０】
以下に本発明の実施例を、図面を参照しつつ説明する。
図１に示した、本発明の第一実施例は、以下に説明する。排水機器としての浴槽、排水管（Ｓ）、排水接続管としての第一管体（１）及び第二管体（２）等の部材より構成されてなる。浴槽は、排水接続管が接続部（３）を備えた排水トラップ（Ｔ）と、該排水トラップ（Ｔ）を取り付ける水受けパンを備えてなる。排水管（Ｓ）は、床面を介して下水側につながる床下配管に接続されてなる。
第一管体（１）はその両端が、図１に有るように平行且つ任意の幅に偏芯してなり、一方の端は排水機器である浴槽の排水トラップ（Ｔ）に、他方の端は第二管体（２）に、それぞれ管体の軸方向から見て、角度を自在に調節した状態にて水密的に接続される。
第二管体（２）はその両端が、図１に有るように平行且つ第一管体（１）の偏芯の幅とほぼ同じ幅だけ偏芯してなり、一方の端が排水管（Ｓ）に、他方の端は第一管体（１）に、それぞれ管体の軸方向から見て、角度を自在に調節した状態にて水密的に接続される。
また、第一管体（１）及び排水トラップ（Ｔ）と、第二管体（２）及び排水管（Ｓ）との接続部分は、筒体同士の差込式にて構成されており、更に排水接続管の全長が、排水トラップ（Ｔ）の接続部の一端から排水管（Ｓ）の排水接続管との接続部の一端までの幅よりも長く、且つ排水トラップ（Ｔ）の接続部の一端から排水管（Ｓ）の排水接続管との接続部の一端までの幅に、排水トラップ（Ｔ）の接続部（３）の差込しろの長さを合したものよりも短く成るように構成されて成る。
またその他の部材として、本発明の第一実施例は、第一管体と第二管体との接続を水密的に行う為のパッキン（図示せず）及びナット部材（Ｎ）を備えて成る。
なお、上記した第一管体（１）等の、排水接続管を構成する各部材は、パッキンを除き、硬質塩ビ材などの硬質材より構成させてなる。
【００２１】
上記のように構成された各部材は、以下のようにして施工・配管される。
排水管（Ｓ）が、略水平方向に下水側につながる床下配管に接続した状態で備えられており、図２に示したように、第一管体（１）と第二管体（２）は、その端部同士を接続した状態に置かれている。この状態より、図３に有るように、第一管体（１）の端部を、排水トラップ（Ｔ）の接続部の差込しろに差しこむと、排水接続管を排水トラップ（Ｔ）の接続部（３）の一端から排水管（Ｓ）の排水接続管との接続部の一端までの幅に、排水トラップ（Ｔ）の接続部（３）の差込しろの長さを合したものよりも短く成るように構成しているため、図３に示したように、排水接続管を排水トラップ（Ｔ）と排水管の間に配置することができる。次いで図４に示したように、第一管体（１）、第二管体（２）をそれぞれ回転させ第二管体（２）の端を排水管（Ｓ）の位置にあわせる。
このとき、第一管体（１）に対して第二管体（２）を、管体の軸方向から見て、角度を自在に調節した状態で接続できるように成しているため、図５の斜線部に示したように、第二管体（２）の端部を、第一管体（１）と第二管体（２）の接続部を中心とした位置に配置でき、さらに第一管体（１）を排水トラップ（Ｔ）に対して管体の軸方向から見て、角度を自在に調節した状態で接続できるように成されていることから、図５の点線で描いた円の内部、排水トラップ（Ｔ）の接続部を中心とし、第一管体（１）と第二管体（２）の両端の幅を合しただけの距離を半径とした全ての範囲に自在に配置することができる。
このため、排水トラップ（Ｔ）の接続部（３）の軸と排水管（Ｓ）の軸とが、多少位置ズレを生じていても、容易に位置合わせを行うことができる。さらに、排水接続管の全長を、排水トラップ（Ｔ）の接続部の一端から排水管（Ｓ）の排水接続管との接続部の一端までの幅よりも長く構成しているため、図６に示したように、排水トラップ（Ｔ）と、排水管（Ｓ）の間に、排水接続管が確実に配置される。この後、それぞれの接続箇所を接着で固定するなどして水密的に接続固定し、排水接続管を用いた浴槽の施工・配管が完了する。
【００２２】
次に本発明の第二実施例を、図面を参照しつつ説明する。
図７に示した、本発明の第二実施例は、以下に説明する、排水機器としての浴槽、排水管（Ｓ）、排水接続管としての第一管体（１）及び第二管体（２）等の部材より構成されてなる。
第一管体（１）はその両端が、図７に有るように９０度の角度に成るように構成されてなり、一方の端は浴槽の排水トラップ（Ｔ）に、管体の軸方向から見て、角度を自在に調節した状態にて、他方の端は第二管体（２）に、それぞれ水密的に接続される。また、管体同士は、差込式にて多少長さ調節が自在な長さ調節部（４）が備えられている。
第二管体（２）はその両端が、図７に有るように９０度の角度に成るように構成されてなり、一方の端がパッキン（図示せず）及びナット（Ｎ）を介し、管体の軸方向から見て、角度を自在に調節した状態にて排水管（Ｓ）に接続され、他方の端は第一管体（１）に、それぞれ水密的に接続される。また第一管体（１）及び第二管体（２）との接続部分は、管体同士の差込式にて長さ調節自在に構成されている。
浴槽及び排水管（Ｓ）は、排水トラップ（Ｔ）の接続部（３）の軸と排水管（Ｓ）の軸とが、多少幅を備えている以外は、上記段落００１９の各部材と同様に構成されて成る。
なお、上記した第一管体（１）等の、排水接続管を構成する各部材は、パッキンを除き、硬質塩ビ材などの硬質材より構成させてなる。
【００２３】
上記のように構成された配管部材は、以下のようにして施工・配管される。
排水管（Ｓ）が、略水平方向に下水側につながる床下配管に接続され、また一端にナット（Ｎ）を接続した状態で備えられている。また、第一管体（１）と第二管体（２）はその端同士を接続した状態に置かれている。この状態より、第一管体（１）の端を、排水トラップ（Ｔ）の接続部に差しこむと、排水トラップ（Ｔ）に対して第一管体（１）を管体の軸方向から見て、角度を自在に調節した状態で接続できるよう構成し、且つ第一管体（１）と第二管体（２）とを長さ調節自在に構成されて成るため、図８の斜線部に示した略扇形状の全ての範囲に自在に配置することができる。このため、管体の軸方向から見て、その位置があらかじめ多少幅を備えて配置されている排水トラップ（Ｔ）の接続部（３）の軸と排水管（Ｓ）の軸とが多少位置ズレを生じていても、容易に接続を行うことができる。さらに長さ調節部（４）を伸張させて、排水トラップ（Ｔ）と排水管（Ｓ）の間に、排水接続管が確実に配置される。この後、それぞれの接続箇所を接着で固定するなどして水密的に接続固定し、排水接続管を用いた浴槽の施工・配管が完了する。
【００２４】
次に本発明の第三実施例を、図面を参照しつつ説明する。
図９に示した、本発明の第三実施例は、以下に説明する、排水機器としての浴槽、排水管（Ｓ）、排水接続管としての第一管体（１）及び第二管体（２）等の部材より構成されてなる。
第一管体（１）はその両端が、図２に有るように１２０度程度の鈍角の角度に成るように構成されてなり、一方の端は浴槽の排水トラップ（Ｔ）に、管体の軸方向から見て、角度を自在に調節した状態にて、他方の端は第二管体（２）に、それぞれ水密的に接続される。
第二管体（２）はその両端が、第一管体（１）の両端と等しい１２０程度の角度を備えて構成されてなり、一方の端が、排水管（Ｓ）に、管体の軸方向から見て、角度を自在に調節した状態に、他方の端は第一管体（１）に、それぞれ水密的に接続される。また第一管体（１）及び第二管体（２）との接続部分は、筒体同士の差込式にて斜め方向に長さ調節自在な長さ調節部（４）を備えてなる。
また、排水接続管は、第一管体（１）と第二管体（２）との接続部分が最も短くした際の全長が、排水トラップ（Ｔ）の接続部（３）の一端と、排水管（Ｓ）の排水接続管との接続部の一端までの幅以上となるように構成されて成る。
浴槽及び排水管（Ｓ）は、排水トラップ（Ｔ）と排水管（Ｓ）が、管体の軸方向から見て、その位置があらかじめ多少幅を備えている以外は、上記段落００１９の各部材と同様に構成されて成る。
なお、上記した第一管体（１）等の、排水接続管を構成する各部材は、硬質塩ビ材などの硬質材より構成させてなる。
【００２５】
上記のように構成された配管部材は、以下のようにして施工・配管される。
排水管（Ｓ）が、略水平方向に下水側につながる床下配管に接続され、第一管体（１）と第二管体（２）はその端同士を接続した状態に置かれている。この状態より、第一管体の端を、排水トラップ（Ｔ）の接続部（３）に差しこむと、排水トラップ（Ｔ）に対して第一管体（１）を管体の軸方向から見て、角度を自在に調節した状態で接続できるように成されており、且つ第一管体（１）と第二管体（２）とを長さ調節自在に構成されて成るため、図８の斜線部に示したように略扇形状の全ての範囲に自在に配置することができる。このため、管体の軸方向から見て、その位置があらかじめ多少幅を備えて配置されている排水トラップ（Ｔ）の接続部（３）の軸と排水管（Ｓ）の軸とが、管体の軸方向に対して多少位置ズレを生じていても、容易に接続を行うことができる。このようにして、幅を調節した後、さらに第一管体（１）もしくは第二管体（２）の、管体に対して略水平方向に余分な長さ分だけ端を切断し、第二管体（２）を排水管（Ｓ）に接続する事で、排水トラップ（Ｔ）と排水管（Ｓ）の間に、排水接続管が確実に配置される。この後、それぞれの接続箇所を接着で固定するなどして水密的に接続固定し、排水接続管を用いた浴槽の施工・配管が完了する。
【００２６】
次に本発明の第四実施例を、図面を参照しつつ説明する。
図１０に示した、本発明の第四実施例は、以下に説明する、排水機器としての浴槽、排水管（Ｓ）、排水接続管を構成する第一管体（１）、第一筒体（５）、ナット（Ｎ）等の部材より構成されてなる。
第一管体（１）は、その両端が、平行且つ任意の幅に偏芯してなり、一方の端は排水管（Ｓ）に水密的に接続される。
第一筒体（５）は、一方に開口部（６）を設け、他方に開口を閉じる壁部（７）を設けた筒体であって、さらに筒体の軸に対して偏芯した位置に排水管と接続する接続筒（８）を設けて成る。
また、第一管体（１）及び排水管（Ｓ）と、第一筒体（５）及び排水トラップ（Ｔ）との接続部分は、筒体同士の差込式にて構成されており、更に排水接続管の全長が、排水トラップ（Ｔ）の接続部の一端から排水管（Ｓ）の排水接続管との接続部の一端までの幅よりも長く、且つ排水トラップ（Ｔ）の接続部の一端から排水管（Ｓ）の排水接続管との接続部の一端までの幅に、排水トラップ（Ｔ）の接続部（３）の差込しろの長さを合したものよりも短く成るように構成されて成る。
浴槽及び排水管（Ｓ）は、上記段落００１９の各部材と同様に構成されて成る。
またその他の部材として、本発明の第四実施例は、各部材の接続を水密的に行う為のパッキン（図示せず）及びナット（Ｎ）を備えて成る。
なお、上記した第一管体（１）等の、排水接続管を構成する各部材は、パッキンを除き、硬質塩ビ材などの硬質材より構成させてなる。また、第一管体（１）の一端が排水トラップ（Ｔ）に接続され、第一筒体（５）の開口部（６）が排水管（Ｓ）に水密的に接続することも可能である。
【００２７】
上記のように構成された配管部材は、以下のようにして施工・配管される。
排水管（Ｓ）が、略水平方向に下水側につながる床下配管に接続し、ナット（Ｎ）を接続した状態で備えられいる。
また、第一筒体（５）の開口部（６）を、排水トラップ（Ｔ）の接続部に差しこむと、排水接続管を排水トラップ（Ｔ）の接続部の一端から排水管（Ｓ）の排水接続管との接続部の一端までの幅に、差込式とした第一筒体と排水トラップ（Ｔ）の接続部との差込しろの長さを合したものよりも短く成るように構成しているため、排水接続管を排水トラップ（Ｔ）と排水管（Ｓ）との間に配置することができる。次いで第一管体（１）、第一筒体（５）をそれぞれ回転させて第一管体（１）の一端を排水管（Ｓ）の位置にあわせる。このとき、第一管体（１）と第一筒体（５）とを回動自在に構成しているため、図１１の斜線部に示したように、第一管体（１）の一端（）を、第一筒体（５）の円筒形状の周縁近傍に沿った位置に配置でき、さらに第一筒体（５）を排水トラップ（Ｔ）に対して角度を自在に調節した状態で接続できるように成されていることから、図１１の点線で描いた円の内部、排水トラップ（Ｔ）の接続部を中心とし、第一管体（１）の円筒形状の部分のほぼ直径に等しい範囲を半径とした円を描く全ての範囲に自在に配置することができる。
このため、排水トラップ（Ｔ）の接続部（３）の軸と排水管（Ｓ）の軸とが、多少位置ズレを生じていても、容易に接続を行うことができる。また、排水接続管の全長を、排水トラップ（Ｔ）の接続部（３）の一端から排水管（Ｓ）の排水接続管との接続部の一端までの幅よりも長く構成しているため、排水トラップ（Ｔ）から、排水管（Ｓ）の間に、排水接続管が確実に配置される。この後、第一管体（１）と第一筒体（５）及び第一管体（１）と排水管（Ｓ）の接続箇所はパッキンを介しナット（Ｎ）で固定するなどして水密的に接続固定し、排水接続管を用いた浴槽の施工・配管が完了する。
【００２８】
次に本発明の第五実施例を、図面を参照しつつ説明する。
図１２に示した、本発明の第五実施例は、以下に説明する、排水機器としての浴槽、排水管（Ｓ）、排水接続管を構成する第一筒体（５）及び第二筒体（９）等の部材より構成されてなる。
第一筒体（５）は、一方に開口部（６）を設け、他方に開口を閉じる壁部（７）を設けた筒体であって、さらに筒体の軸に対して偏芯した位置に接続筒（８）を設けて成る。
第二筒体（９）については、第一筒体（５）と同様の構成から成る。
また、第一筒体（５）及び排水トラップ（Ｔ）と、第二筒体（９）及び排水管（Ｓ）との接続部分は、筒体同士の差込式にて構成されており、更に排水接続管の全長が、排水トラップ（Ｔ）の接続部（３）の一端から排水管（Ｓ）の排水接続管との接続部の一端までの幅よりも長く、且つ排水トラップ（Ｔ）の接続部（３）の一端から排水管（Ｓ）の排水接続管との接続部の一端までの幅に、排水トラップ（Ｔ）の接続部（３）の差込しろの長さを合したものよりも短く成るように構成されて成る。
浴槽及び排水管（Ｓ）は、上記段落００１９の各部材と同様に構成されて成る。
なお、上記した第一筒体（５）等の、排水接続管を構成する各部材は、硬質塩ビ材などの硬質材より構成させてなる。
【００２９】
上記のように構成された配管部材は、以下のようにして施工・配管される。
排水管（Ｓ）が、略水平方向に下水側につながる床下配管に接続されている。
また、第一筒体（５）と第二筒体（９）は開口部（６）同士を合わせた状態に置かれている。この状態より、第一筒体（５）の接続筒（８）を、排水トラップ（Ｔ）の接続部に差しこむと、排水接続管を排水トラップ（Ｔ）の接続部（３）の一端から排水管（Ｓ）の排水接続管との接続部の一端までの幅に、差込式とした第一筒体と排水トラップ（Ｔ）の接続部との差込しろの長さを合したものよりも短く成るように構成しているため、排水接続管を排水トラップ（Ｔ）と排水管（Ｓ）の間に配置することができる。次いで第一筒体（５）、第二筒体（９）をそれぞれ回転させて第二筒体（９）の接続筒（８）を排水管（Ｓ）の位置にあわせる。このとき、第一筒体（５）に対して第二筒体（９）を回動自在に構成しているため、図１１の斜線部に示したように、第二筒体（９）の接続筒（８）を、第一筒体（５）の円筒形状の周縁近傍に沿った位置に配置でき、さらに第一筒体（５）を排水トラップ（Ｔ）に対して筒体の軸方向から見て、角度を自在に調節した状態で接続できるように成されていることから、図１１の点線で描いた円の内部、排水トラップ（Ｔ）の接続部を中心とし、第一筒体（５）の円筒形状の部分のほぼ直径に等しい範囲を半径とした円を描く全ての範囲に自在に配置することができる。
このため、排水トラップ（Ｔ）の接続部（３）の軸が、排水管（Ｓ）の軸に対して、多少位置ズレを生じていても、容易に接続を行うことができる。さらに排水接続管の全長を、排水トラップ（Ｔ）の接続部（３）の一端から排水管（Ｓ）の排水接続管との接続部の一端までの幅よりも長く構成しているため、排水トラップ（Ｔ）から、排水管（Ｓ）の間に、排水接続管が確実に配置される。この後、第一筒体（５）と第二筒体（９）及びその他の接続箇所は接着で固定するなどして水密的に接続固定し、排水接続管を用た浴槽の施工・配管が完了する。
【００３０】
次に本発明の第六実施例を、図面を参照しつつ説明する。
図１３に示した、本発明の第六実施例は、以下に説明する、排水機器としての浴槽、排水管（Ｓ）、排水接続管を構成する第一筒体（５）及び第二筒体（９）、継手部材（１０）等の部材より構成されてなる。
第一筒体（５）は、一方に開口部（６）を設け、他方に開口を閉じる壁部（７）を設けた筒体であって、さらに筒体の軸に対して偏芯した位置に接続筒（８）を設けて成る。
第二管体（２）については、第一筒体（５）と同様の構成から成る。
また、第一筒体（５）及び排水トラップ（Ｔ）と、第二筒体（９）及び継手部材（１０）との接続部分は、筒体同士の差込式にて構成されており、更に排水接続管の全長が、排水トラップ（Ｔ）の接続部（３）の一端から排水管（Ｓ）の排水接続管との接続部の一端までの幅よりも長く、且つ排水トラップ（Ｔ）の接続部（３）の一端から排水管（Ｓ）の排水接続管との接続部の一端までの幅に、排水トラップ（Ｔ）の接続部（３）の差込しろの長さを合したものよりも短く成るように構成されて成る。
継手部材（１０）は、一方が排水管（Ｓ）に、他方が排水接続管に、それぞれ適合する大きさに形成された円筒形状の部材であって、排水管（Ｓ）上に水密的に取り付けられてなる。
浴槽及び排水管（Ｓ）は、上記段落００１９の各部材と同様に構成されて成る。
またその他の部材として、本発明の第六実施例は、第一筒体（５）と第二筒体（９）の接続を水密的に行う為のパッキン（図示せず）及びナット（Ｎ）を備えて成る。
なお、上記した第一管体（１）等の、排水接続管を構成する各部材は、パッキンを除き、硬質塩ビ材などの硬質材より構成させてなる。
【００３１】
上記のように構成された配管部材は、以下のようにして施工・配管される。
排水管（Ｓ）が、略水平方向に下水側につながる床下配管に接続し、また一端に継手部材（１０）を接続した状態で備えられている。
また、第一筒体（５）と第二筒体（９）は、ナット（Ｎ）を介して、接続筒（８）同士を合わせた状態に置かれている。この状態より、第一筒体（５）の開口部（６）を、排水トラップ（Ｔ）の接続部（３）に差しこむと、排水接続管を排水トラップ（Ｔ）の接続部（３）の一端から排水管（Ｓ）の排水接続管との接続部の一端までの幅に、差込式とした第一筒体（５）と排水トラップ（Ｔ）の接続部（３）との差込しろの長さを合したものよりも短く成るように構成しているため、排水接続管を排水トラップ（Ｔ）と排水管（Ｓ）の間に配置することができる。次いで第一筒体（５）、第二筒体（９）をそれぞれ回転させて第二筒体（９）の開口部を排水管（Ｓ）の位置にあわせる。このとき、第一筒体（５）に対して第二筒体（９）を回動自在に構成しているため、図１１の斜線部に示したように、第二筒体（９）の接続筒（８）を、第一筒体（５）の円筒形状の周縁近傍に沿った位置に配置でき、さらに第一筒体（５）を排水トラップ（Ｔ）に対して筒体の軸方向から見て、角度を自在に調節した状態で接続できるように成されていることから、図１１の点線で描いた円の内部、排水トラップ（Ｔ）の接続部（３）を中心とし、第一筒体（５）の円筒形状の部分のほぼ直径に等しい範囲を半径とした円を描く全ての範囲に自在に配置することができる。
このため、排水トラップ（Ｔ）の接続部（３）の軸が、排水管（Ｓ）の軸に対して、多少位置ズレを生じていても、容易に接続を行うことができる。さらに排水接続管の全長を、排水トラップ（Ｔ）の接続部の一端から排水管（Ｓ）の排水接続管との接続部の一端までの幅よりも長く構成しているため、排水トラップ（Ｔ）から、排水管（Ｓ）の間に、継手部材（１０）を介し、排水接続管が確実に配置される。この後、その他の接続箇所は接着で固定するなどして水密的に接続固定し、排水接続管を用いた浴槽の施工・配管が完了する。
【００３２】
次に本発明の第七実施例を、図面を参照しつつ説明する。
図１４に示した、本発明の第七実施例は、以下に説明する、排水機器としての浴槽、排水管（Ｓ）、排水接続管としての第一管体（１）及び継手体（１１）、継手受け体（１２）等により構成されてなる。
第一管体（１）は直線状のパイプ管であって、多少長さの調節が可能なように、筒体同士の差込式にて長さ調節部（４）を備えてなる。
継手体（１１）は、第一管体（１）の両端に水密的に取り付けられる球形状の部分であって、内部に円筒状の通水路（１３）を設けて成る。
継手受け体（１２）は、内面に継手体（１１）の球形状と嵌合する形状であって、一方が排水管（Ｓ）に、他方が継手体（１１）に、それぞれ適合する大きさに形成され、継手体（１１）の通水路（１３）と連通する円筒状の通水路を備えて成る。また、排水管（Ｓ）と継手受け体（１２）とは接着にて水密的に取り付けらる。
浴槽及び排水管（Ｓ）は、上記段落００１９の各部材と同様に構成されて成る。
なお、上記した第一管体（１）等の、排水接続管を構成する各部材は、パッキンを除き、硬質塩ビ材などの硬質材より構成させてなる。
【００３３】
上記のように構成された配管部材は、以下のようにして施工・配管される。
排水管（Ｓ）が、略水平方向に下水側につながる床下配管に接続し、継手受け体（１２）を接続した状態で備えられている。また、第一管体（１）には、その両端に継手体（１１）が水密的に備えられている。この状態より、第一管体（１）の長さ調節部（４）を縮小したのち、排水管の方向に向けて第一管体（１）を伸長させ、継手受け体（１２）を介し排水管（Ｓ）に接続させる。この際に於いて、継手体（１１）は球形状をしており、継手受け体（１２）によって方向が自由にできるため、接続の際に、排水トラップ（Ｔ）の接続部（３）の軸が、排水管（Ｓ）の軸に対して多少位置ズレがあり、継手受け体（１２）等を介し、第一管体（１）が傾いた状態に接続されても、その形状や水密性に支障を来すことがない。この後、継手受け体（１２）と排水管（Ｓ）とを接着で固定するなどして水密的に接続固定し、排水接続管を用いた浴槽の施工・配管が完了する。
【００３４】
次に本発明の第八実施例を、図面を参照しつつ説明する。
図１５に示した、本発明の第八実施例は、以下に説明する、排水機器としての浴槽、排水管（Ｓ）、排水接続管としての第一管体（１）及び継手管（１４）等より構成されてなる。
第一管体（１）は硬質塩ビ材等の硬質管より成る直線状のパイプ管より構成されてなる。
継手管（１４）は、図１５に示したように、排水管体の両端に接着にて水密的に取り付けられる、円筒状にしてゴム材等の軟質材より構成される部材であって、第一管体（１）等を接続した場合に、内部が凹凸が無く、平滑となるように、円筒状の通水路（１３）を設けて成る。
浴槽及び排水管（Ｓ）は、上記段落００１９の各部材と同様に構成されて成る。
なお、第一管体の全長が、排水トラップ（Ｔ）の接続部（３）の一端と、排水管（Ｓ）の排水接続管との接続部の一端までの幅以上となるように構成されて成る。
【００３５】
上記のように構成された配管部材は、以下のようにして施工・配管される。
排水管（Ｓ）が、略水平方向に下水側につながる床下配管に接続した状態で備えられており、第一管体（１）には、その両端に継手体（１１）が水密的に備えられている。継手体（１１）は軟質材から成るため、接続の際に、排水トラップ（Ｔ）の接続部（３）と、排水管（Ｓ）との間に管体の軸方向に対して多少位置ズレがあり、第一管体（１）が傾いた状態に接続されても、その形状や水密性に支障を来すことがない。このようにして、幅を調節した後、第一管体（１）を、管体に対して略水平方向に余分な長さ分だけ端を切断し、排水管に接続する事で、排水トラップ（Ｔ）と排水管（Ｓ）の間に、排水接続管が確実に配置される。
【００３６】
本発明の実施例は上記のようであるが、本発明は上記実施例に限定されるものではなく、発明の要旨を変更しない範囲で、様々な変更が可能である。例えば、上記実施例では、各部材の接続方法において、ナット（Ｎ）を用いたネジ止めや接着で行っているが、管体や筒体等の周囲にOリングを介して接続し、施工時に回動可能に構成する等、接続方法は限定しない。
【００３７】
また、上記実施例では、一度接続部（３）に差し込んだ各部材を、位置あわせ後に戻すことで、排水接続管の施工を行っているが、これに代えて、図１６に示すように、配管の差込みしろに対応する長さだけ、排水接続管の長さを調節できる、長さ調節部（４）を排水接続管に備えても良い。このようにしても、上記各実施例と同様の効果を得ることができる。
【００３８】
また、上記各実施例において、排水接続管を適宜な長さに調節する方法としては、上記段落００３６に記載のように、長さ調節部（４）を設ける方法があるが、それ以外の方法として、あらかじめ各部材（特に管体の部分）を、配管される場所に対して多少長めに形成しておき、現場で採寸して管体等を適宜な長さに切断し、取り付ける方法がある。このようにすれば、長さ調節部（４）を設けるよりも部品点数を減らすことができ、製品を安価に提供することができる。
【００３９】
なお、本発明は、排水機器と、排水機器からの排水を排出する、略水平方向に配管される排水管の接続に用いられる排水接続管に関するものである。上記排水接続管を用いた排水配管の形態として、配管上に排水トラップ（Ｔ）がある場合では、略水平方向から見て、排水接続管の偏心軸上端が、排水機器における封水部上端を越えない位置に排水接続管を設けるようにすれば、浴槽等に排水が溢れ出ることがなく、好適である。
【００４０】
また、上記排水接続管を用いた排水配管の形態として、配管上に排水トラップ（Ｔ）がある場合、略水平方向から見て、排水接続管が接続された形状を、管トラップを形設する凹形状以外の形状にすることで、ダブルトラップを防ぐことができ、好適である。
【図面の簡単な説明】
【００４１】
【図１】本発明の第一実施例の平面図である。
【図２】本発明の第一実施例の第一管体と排水トラップとの接続前の差込みしろを示す断面図をである。
【図３】本発明の第一実施例の第一管体と排水トラップとの差込み時を示す断面図である。
【図４】本発明の第一実施例の第二管体と排水管との接続時を示す平面図である。
【図５】本発明の第一実施例の排水接続管の可動範囲を示す概略図である。
【図６】本発明の第一実施例の排水接続管が配置された状態を示す断面図ある。
【図７】本発明の第二実施例の平面図である。
【図８】本発明の第二実施例、第三実施例の排水接続管の可動範囲を示す概略図である。
【図９】本発明の第二実施例の部材構成を示す斜視図である。
【図１０】本発明の第四実施例の平面図である。
【図１１】本発明の第四実施例の排水接続管の可動範囲を示す概略図である。
【図１２】本発明の第五実施例の排水接続管を接続した状態を示す断面図である。
【図１３】本発明の第六実施例の平面図である。
【図１４】本発明の第七実施例の排水接続管を接続した状態を示す断面図である。
【図１５】本発明の第八実施例の断面図である。
【図１６】本発明の長さ調節部を排水接続管に備えた断面図である。。
【図１７】従来の排水接続管を用いた排水配管を示す斜視図である。
【符号の説明】
【００４２】
１    第一管体                      ２    第二管体
３    接続部                        ４    長さ調節部
５    第一筒体                      ６    開口部
７    壁部                          ８    接続筒 
９    第二筒体                      １０  継手部材
１１  継手体                        １２  継手受け体
１３  通水路                        １４  継手管
Ｔ    排水トラップ                  Ｎ    ナット
Ｓ    排水管
【図１】
2005248588.tif 000003
【図２】
2005248588.tif 000004
【図３】
2005248588.tif 000005
【図４】
2005248588.tif 000006
【図５】
2005248588.tif 000007
【図６】
2005248588.tif 000008
【図７】
2005248588.tif 000009
【図８】
2005248588.tif 000010
【図９】
2005248588.tif 000011
【図１０】
2005248588.tif 000012
【図１１】
2005248588.tif 000013
【図１２】
2005248588.tif 000014
【図１３】
2005248588.tif 000015
【図１４】
2005248588.tif 000016
【図１５】
2005248588.tif 000017
【図１６】
2005248588.tif 000018
【図１７】
2005248588.tif 000019